(57)【要約】      （修正有）【課題】ネット周辺等のコートの床面に散乱したバドミントンシャトルを傷めることなく迅速、確実且つ効率よく収集できるバトミントンシャトルの収集具を提供する。【解決手段】ハンドルグリップ３を備えた柄２と、柄２の左右方向への捩れ動作に追従して左右方向に方向転換可能となる方向転換機構１１を介して柄２に対して直交させて取付けた刷毛構造の正面収集体４と、正面収集体４の両サイドで上下方向に揺動可能となる上下揺動機構２１を介して正面収集体４に対し斜め外方に向けて取付けた刷毛構造のサイド収集体５，６とを備える。方向転換機構１１は、正面収集体４の上側中央に備えたセンターステー１４と、柄２先端に備えた二股連結ステー１５とを有し、二股連結ステー１５の間にセンターステー１４を挿入して可動自在に固定してなる。上下揺動機構２１は、正面収集体４の移動に追従してサイド収集体５，６を上下揺動してコート面に密着させる。【選択図】図１
0003181597.tif 000002
【実用新案登録請求の範囲】
【請求項１】
ハンドルグリップを後端側に備えた柄と、柄の左右方向への捩れ動作に追従して左右方向に方向転換可能となる方向転換機構を介して当該柄に対して直交するように取付けられた正面収集体と、正面収集体の両サイドにて上下方向に揺動可能となる上下揺動機構を介して当該正面収集体の両サイドに対し斜め外方に向けて取付けられたサイド収集体とを備えてなることを特徴とするバドミントンシャトルの収集具。
【請求項２】
正面収集体、サイド収集体は、刷毛構造となっている請求項１記載のバドミントンシャトルの収集具。
【請求項３】
方向転換機構は、正面収集体の上側中央に備えたセンターステーと、柄先端に備えた二股連結ステーとを有し、当該二股連結ステーの間にセンターステーが挿入されて可動自在に固定されてなる請求項１または２記載のバドミントンシャトルの収集具。
【請求項４】
上下揺動機構は、鈍角に屈曲形成されてそれぞれに正面収集体を保持する第１保持片部およびサイド収集体を保持する第２保持片部を有するサイドステーを備え、第１保持片部に正面収集体の一端側が固定され、第２保持片部にサイド収集体の他端側が支持軸部を介して回動自在に取付けられ、第２保持片部には支持軸部を中心とする円弧状のガイド長孔を備え、当該ガイド長孔にはサイド収集体に形成されたガイド突起が係合されてなる請求項１乃至３のいずれか記載のバドミントンシャトルの収集具。
【請求項５】
ハンドルグリップを後端側に備えた柄と、柄の左右方向への捩れ動作に追従して左右方向に方向転換可能となる方向転換機構を介して柄に対して直交するように取付けられた刷毛構造の正面収集体と、正面収集体の両サイドにて上下方向に揺動可能となる上下揺動機構を介して当該正面収集体の両サイドに対し斜め外方に向けて取付けられた刷毛構造のサイド収集体とを備えてなり、方向転換機構は、正面収集体の上側中央に備えたセンターステーと、柄先端に備えた二股連結ステーとを有し、二股連結ステーの間にセンターステーが挿入されて可動自在に固定されてなり、上下揺動機構は、鈍角に屈曲形成されてそれぞれに正面収集体を保持する第１保持片部およびサイド収集体を保持する第２保持片部を有するサイドステーを備え、第１保持片部に正面収集体の一端側が固定され、第２保持片部にサイド収集体の他端側が支持軸部を介して回動自在に取付けられ、第２保持片部には支持軸部を中心とする円弧状のガイド長孔を備え、ガイド長孔にはサイド収集体に形成されたガイド突起が係合されてなることを特徴とするバドミントンシャトルの収集具。
【考案の詳細な説明】
【技術分野】
【０００１】
本考案は、例えばバドミントン競技におけるシャトルノックによる練習等でコート等の床面に散乱したバドミントンシャトルを立ったままで容易かつ確実に短時間で収集でき、収集のための練習時間の中断が少なくなり、ひいては効率的に練習できるようにもなる所謂スイーパーと称するバドミントンシャトルの収集具に関するものである。
【背景技術】
【０００２】
バドミントン競技において、そのスマッシュ、レシーブ・クリアを繰り返し練習するのは重要であり、そのためのバドミントンのシャトルノックによる練習等でネット周辺の床面には沢山のバドミントンシャトルが散乱する。これらの散乱したバドミントンシャトルをそのままにしておくのは練習の邪魔になるばかりでなく、危険でもあり、適宜に収集して除去する必要がある。
【０００３】
こうした散乱したバドミントンシャトルを収集するため、従来は例えばバドミントンシャトルを１個ずつ収集するものとして特許文献１に開示されているような回収具が提案されている。
【０００４】
この特許文献１に開示されている回収具は、コート面に落としたバドミントンシャトルを、ラケットを使って簡単に拾い上げることができるように、ラケット枠の先端外周に鉤／ループ型の接着面をもつ接着回収部材を装着すると共に、バドミントンシャトルの頭部外周にループ／鉤型の接着面をもつ被接着部を設け、ラケット側の接着部材とシャトル側の被接着部を係合付着させ、コート面に落としたバドミントンシャトルをラケットを使って回収可能としたものである。
【０００５】
しかし、この特許文献１の回収具では、ラケット枠の先端外周を使ってバドミントンシャトルを１個ずつ付着させて回収するため、コート面に広く散乱したバドミントンシャトルを収集するには非常に面倒であり、効率的ではない。
【０００６】
一方、バドミントンシャトルを１箇所に掻き集めて回収する場合、例えば清掃時に使用するモップ等を使用してバドミントンシャトルを１個ずつ掻き集める作業を行なうことで収集してもいる。ただ、このモップの使用では掻き集めることができる範囲は狭く、コート全面にわたって散乱している場合には集めるのに時間が掛かり、その間は練習を中断しなければならず、練習時間が実質的にも短くなる。
【０００７】
そこで、従来ではコート面に散乱している大量のバドミントンシャトルを纏めて収集できるように、例えばテニスボール、ピンポンボールその他の各種ボールを集めるとする特許文献２あるいは特許文献３の収集器具等を、バドミントンシャトルの収集に利用することが考えられる。
【０００８】
特許文献２に開示されているボール収集具は、球技の練習などで散乱したボールを、立ったままで拾集することができるとするもので、具体的には、開口枠と、該開口枠の上部に設けられた柄と、該柄の頂部に設けられた把手と、開口枠の下部に設けられた取込板と、該取込板に設けられた開口部と、該開口部にゴムや弾性樹脂等の弾性体を装着して設けられたボールの取込口と、開口枠側を開口部とするように繋留された網袋とにより構成され、前記取込口は、任意のボールの外径より幅狭であり、ボールの上から押圧すると取込口の弾性力によりボールが通過する大きさ形状となっている。
【０００９】
また、特許文献３に開示されているテニスボール収集機は、テニスボールを収納できる大きさ、形状をもった箱に、ボールの排出口とハンドルを備えたものとし、散乱したボールを時間をかけずにボール籠に移替えようとするもので、上部にハンドルを付けたボール収集用の箱の前面にボール取入口を空け、箱の側面にボールを箱に取り入れた後に籠に移すための排出口を空けて成るものである。このように構成されたボール収集機をボールが散乱しているコート上で押して行くことにより、コートの隅の方にボールを寄せ、テニスコートの端を囲っているフェンスや壁にボールを押しつけて本機内に取り入れ、取り入れたボールを、籠の上で排出口側に本機を傾斜させることによって籠の中に移すようにするとする。
【先行技術文献】
【特許文献】
【００１０】
【特許文献１】実用新案登録第３００２５６５号公報
【特許文献２】特開２００６−１１６２６３号公報
【特許文献３】実開平８−４４９号公報
【考案の概要】
【考案が解決しようとする課題】
【００１１】
しかしながら、上記した特許文献２に係るボール拾集用具をバドミントンシャトルの収集に適用した場合、ボール拾集用具の取込板をバドミントンシャトルの上から押圧することで当該取込板に設けられた開口部の取込口の弾性力によりバドミントンシャトルを通過させて収集することになるため、バドミントンシャトルを傷めてしまう虞がある。しかも、このボール拾集用具ではバドミントンシャトルを取込口により１個ずつ収集するため、従来のモップを使用した場合と同様に、収集作業の効率が非常に悪いものである。
【００１２】
また、同様に特許文献３に係るボール収集機によってバドミントンシャトルを収集しようとしても、この収集機によってバドミントンシャトルをフェンスや壁に押しつけることでバドミントンシャトルを箱前面の取入口から本機内に取り入れるため、バドミントンシャトルを傷めてしまう虞がある。しかも箱側面にはバドミントンシャトルを籠に移すための排出口を空けているので、取入口から本機内に複数のバドミントンシャトルを取り入れている最中にバドミントンシャトルが排出口から逃げてしまう虞がある。
【００１３】
そこで、本考案は叙上のような従来存した諸事情に鑑み創案されたもので、例えばネット周辺をはじめコートの床面に散乱したバドミントンシャトルを収集するとき、バドミントンシャトルを傷めることなく収集でき、しかも多数のバドミントンシャトルを逃がさずに迅速、確実且つ効率よく短時間で収集でき、ひいては練習の中断時間を少なくできて練習時間を十分に確保できるようにしたバドミントンシャトルの収集具を提供することを目的とする。
【課題を解決するための手段】
【００１４】
上述した課題を解決するために、本考案にあっては、ハンドルグリップ３を後端側に備えた柄２と、柄２の左右方向への捩れ動作に追従して左右方向に方向転換可能となる方向転換機構１１を介して柄２に対して直交するように取付けられた正面収集体４と、正面収集体４の両サイドにて上下方向に揺動可能となる上下揺動機構２１を介して正面収集体４の両サイドに対し斜め外方に向けて取付けられたサイド収集体５，６とを備えてなることを特徴とする。
正面収集体４、サイド収集体５，６は、刷毛構造とすることができる。
方向転換機構１１は、正面収集体４の上側中央に備えた例えば突片状のセンターステー１４と、柄２先端に備えた例えば上下一対の突片状の二股連結ステー１５とを有し、この二股連結ステー１５の上下突片の間にセンターステー１４の例えば突片側が挿入されて可動自在に固定されてなるものとすることができる。
上下揺動機構２１は、鈍角に屈曲形成されてそれぞれに正面収集体４を保持する第１保持片部２２ａおよびサイド収集体５，６を保持する第２保持片部２２ｂを有するサイドステー２２を備え、第１保持片部２２ａに正面収集体４の一端側が固定され、第２保持片部２２ｂにサイド収集体５，６の他端側が支持軸部２４を介して回動自在に取付けられ、第２保持片部２２ｂには支持軸部２４を中心とする円弧状のガイド長孔２６を備え、このガイド長孔２６にはサイド収集体５，６に形成されたガイド突起２７が係合されてなるものとすることができる。
【００１５】
以上のように構成された本考案に係るバドミントンシャトルの収集具にあって、正面収集体４、サイド収集体５，６を柄２によってコート面上でスライド移動させることで、コート面上に散乱しているバドミントンシャトルＰを掻き集めて所定場所に集積でき、大量のバドミントンシャトルＰを纏めて回収させる。
刷毛構造の正面収集体、サイド収集体５，６は、コート面上で滑らかにスライド移動し、しかも収集したバドミントンシャトルＰを傷めずに纏めさせる。
また、方向転換機構１１は、柄２を左方向または右方向へ捩った際に、柄２先端の二股連結ステー１５の上下突片間に配した正面収集体４のセンターステー１４の突片側が二股連結ステー１５の上下突片によって左方向または右方向に捩られ、この捩れに追従して正面収集体４を左方向または右方向に方向転換させる。
上下揺動機構２１は、柄２の上下方向の角度、すなわち仰角度を変更させることで、サイド収集体５，６に形成されたガイド突起２７が第２保持片部２２ｂの円弧状のガイド長孔２６に案内されつつ支持軸部２４を支点にしてサイド収集体５，６を上下方向に揺動させ、コート面に当接させ、バドミントンシャトルＰを取り逃がさない。
【考案の効果】
【００１６】
このような本考案によれば、例えばネット周辺のみならず、コートの床面に散乱したバドミントンシャトルＰをコート面上で滑らせるように、しかも傷めてしまうことなく収集でき、しかも収集に際して大量のバドミントンシャトルＰを逃がさずに迅速、確実且つ効率よく収集することができる。そのため、コート面に散乱したバドミントンシャトルＰを短時間に例えばコート面外に纏めることでコート面からバドミントンシャトルＰを除去して練習可能な状態にでき、ひいては収集のための中断時間を少なくして十分な練習時間、練習量を確保することができる。
【００１７】
すなわち、これは本考案が、ハンドルグリップ３を後端側に備えた柄２と、柄２の左右方向への捩れ動作に追従して左右方向に方向転換可能となる方向転換機構１１を介して柄２に対して直交するように取付けられた正面収集体４と、正面収集体４の両サイドにて上下方向に揺動可能となる上下揺動機構２１を介して当該正面収集体４の両サイドに対し斜め外方に向けて取付けられたサイド収集体５，６とを備えてなるからである。これにより、立ったままでハンドルグリップ３を持って柄２を前方に移動させることでコートの床面に散乱した大量のバドミントンシャトルＰを傷めてしまうことなく正面収集体４およびサイド収集体５，６によって逃がさずに纏めて、迅速、確実且つ効率よく収集することができる。
【００１８】
また、正面収集体４、サイド収集体５，６は刷毛構造となっているため、コート面上で滑らかにスライド移動でき、コート面を損傷させず、しかも収集したバドミントンシャトルＰを傷めないばかりでなく、正面収集体４、サイド収集体５，６等のスライド移動に伴ないコート面をも清掃するのに役立つ。
【００１９】
方向転換機構１１は、正面収集体４の上側中央に備えたセンターステー１４と、柄２先端に備えた二股連結ステー１５とを有し、二股連結ステー１５の間にセンターステー１４が挿入されて可動自在に固定されてなるので、柄２を左方向または右方向へ捩った際には、センターステー１４の例えば突片側が二股連結ステー１５の上下突片によって左方向または右方向に捩られる。そのため、この捩れに追従して、正面収集体４を左方向または右方向に方向転換させることができ、コートの床面のいたるところで散乱している大量のバドミントンシャトルＰを手際よく収集することができる。
【００２０】
上下揺動機構２１は、鈍角に屈曲形成されてそれぞれに正面収集体４を保持する第１保持片部２２ａおよびサイド収集体５（６）を保持する第２保持片部２２ｂを有するサイドステー２２を備え、第１保持片部２２ａに正面収集体４の一端側が固定され、第２保持片部２２ｂにサイド収集体５（６）の他端側が支持軸部２４を介して回動自在に取付けられ、第２保持片部２２ｂには支持軸部２４を中心とする円弧状のガイド長孔２６を備え、当該ガイド長孔２６にはサイド収集体５（６）に形成されたガイド突起２７が係合されてなる。このように構成したことから、支持軸部２４を支点にしてサイド収集体５，６の上下揺動を確実にガイドすることができ、ハンドルグリップ３を持って柄２を前方に移動させている途中で柄２の上下方向の角度を変更させた場合には、サイド収集体５，６に形成されたガイド突起２７が第２保持片部２２ｂの円弧状のガイド長孔２６に案内されつつ支持軸部２４を支点にしてサイド収集体５，６を上下方向に揺動させられるため、正面収集体４もしくはサイド収集体５，６が床面から浮き上がってバドミントンシャトルＰを逃がしてしまうことがなく、バドミントンシャトルＰを確実に捕捉することができる。
【００２１】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２２】
【図１】本考案の実施の形態における使用状態の斜視図である。
【図２】同じく方向転換機構の要部斜視図である。
【図３】同じく上下揺動機構の要部側面図である。
【考案を実施するための形態】
【００２３】
以下、図面を参照して本考案の実施の形態を詳細に説明すると、図において示される符号１は、例えばバドミントン競技における練習時のシャトルノックによる等でコートの床面に散乱したバドミントンシャトルＰを纏めて収集する所謂スイーパーと称する収集具である。
【００２４】
図１に示すように、収集具１は、ハンドルグリップ３を後端側に備えた柄２と、この柄２に対して直交するように取付けられた例えば長さが約８００ｍｍ程度の刷毛構造となった正面収集体４と、この正面収集体４の両サイドに対し平面からみて斜め外方に向けて取付けられた例えば長さが約４００ｍｍ程度の刷毛構造となった左右一対のサイド収集体５，６とから概ね構成されている。なお、これらの長さの設定は任意に変更可能であるのは勿論であり、ハンドルグリップ３も特に区画形成されている場合に限らず、作業者によって握持可能なようになっていれば良いものである。
【００２５】
正面収集体４自体、サイド収集体５，６自体は、例えば木製、合成樹脂製等の各棒材の底面に所定長さの刷毛を植毛してなり、バドミントンシャトルＰに当接してもこれを損傷させずに、コート面上で滑らかにスライド移動させるようにしていると共に、コート面で滑らかに移動してコート面をも清掃できるようにしている。
【００２６】
柄２および正面収集体４は、柄２の左右方向への捩れ動作に追従して正面収集体４が左右方向に方向転換可能となるように方向転換機構１１を介して、柄２の先端に正面収集体４が連繋されている。
【００２７】
この方向転換機構１１の具体的な構成としては、図２に示すように、略コ字枠状の基部１２の上面長手方向に沿って略三角形状の突片部１３を備えたセンターステー１４が正面収集体４の上側中央に取付ネジ１８等で固定されている。
【００２８】
また、柄２の先端に延設された上下一対の突片部１５ａ，１５ｂによって構成された二股連結ステー１５における上下の突片部１５ａ，１５ｂ相互間にセンターステー１４の突片部１３が挿入されている。
【００２９】
そして、各突片部１５ａ，１５ｂに形成されているボルト挿通孔（図示省略）、突片部１３に形成されているボルト挿通孔（図示省略）それぞれに中央ボルト１６を貫挿させてから、この中央ボルト１６先端に蝶ナット１７をネジ止めする。このときセンターステー１４の突片部１３に形成されているボルト挿通孔は中央ボルト１６の外径よりも大きくしてあり、これにより正面収集体４は柄２先端において中央ボルト１６を軸として左右方向に揺動自在となる。
【００３０】
上記した構成の方向転換機構１１により、柄２を左方向または右方向（図２中、矢印Ａ−Ｂ方向）へ捩った際には、正面収集体４のセンターステー１４の突片部１３が二股連結ステー１５の上下突片部１５ａ，１５ｂによって左方向または右方向に捩られ、この捩れに追従して、正面収集体４を左方向または右方向（図２中、矢印Ａ′−Ｂ′方向）に方向転換させるものとなる。
【００３１】
正面収集体４とサイド収集体５，６とは、柄２の上下方向への角度の変更に追従してサイド収集体５，６が正面収集体４に対して上下方向に揺動可能となる上下揺動機構２１を介して、正面収集体４の左右部それぞれに左右のサイド収集体５，６が揺動自在に連繋されている。また、正面収集体４とサイド収集体５，６と連繋は、正面収集体４の左右端部それぞれで正面収集体４の前方斜め外方に向けられることで設けられていて、平面から見て前方に対して拡がっている〔カッコ形状を呈しており、掻き集めたバドミントンシャトルＰが正面収集体４側に移動し、纏められるようにしている。
【００３２】
この上下揺動機構２１の具体的な構成としては、図３に示すように、例えば帯板状金属製の板材を略中央から鈍角に屈曲形成して、正面収集体４を保持するための第１保持片部２２ａが一方に、およびサイド収集体５，６を保持するための第２保持片部２２ｂが他方に分割形成されてなるサイドステー２２を備えている。正面収集体４の一端側は第１保持片部２２ａに取付ネジ２３等で固定される。
【００３３】
一方、サイド収集体５，６の他端側の外側面下方位置には支持軸部２４が突設され、この支持軸部２４は第２保持片部２２ｂの支持孔部２５に係合することでサイド収集体５，６自体は正面収集体４に対して上下方向（図３中、矢印Ｃ−Ｄ方向）に揺動可能となっている。
【００３４】
また、サイド収集体５，６の支持軸部２４よりも前方で且つ中央に位置する箇所にはガイド突起２７が突設され、これに対応して第２保持片部２２ｂの前方端部側には後方に位置する支持軸部２４を円弧中心とする円弧状のガイド長孔２６が形成されている。そして、ガイド長孔２６にはサイド収集体５，６に形成されたガイド突起２７が係合され、円弧中心である支持軸部２４を支点にしたサイド収集体５，６の上下揺動をガイドしている。すなわち、ガイド長孔２６の円弧長さによりサイド収集体５，６の上下揺動範囲を規制している。
【００３５】
なお、本図においては一方のサイド収集体５に対しての上下揺動機構２１を説明しているが、他方のサイド収集体６における上下揺動機構２１の構成も上記と同様なのでその説明を省略する。
【００３６】
次に、以上のように構成された実施の形態による収集具の使用の一例について説明すると、図１に示すように、収集具１のハンドルグリップ３を手で握って、バドミントンシャトルＰが散乱している床面上で柄２を前方へ押すことにより正面収集体４、サイド収集体５，６を共に前方へスライド移動させる。このとき正面収集体４の両サイドから延びるサイド収集体５，６により、このサイド収集体５，６が当たるバドミントンシャトルＰは正面収集体４の中央側に寄せ集められる。
【００３７】
また、正面収集体４を左方向または右方向に方向転換させる場合には、図２に示すように、柄２を左方向または右方向（図２中、矢印Ａ−Ｂ方向）に捩ることで方向転換機構１１により、この捩れに追従して正面収集体４を左方向または右方向（図２中、矢印Ａ′−Ｂ′方向）に方向転換させる。
【００３８】
さらに、作業者の背の高さや手の持ち方、姿勢さらには床面の条件等により、柄２の上下方向の角度、すなわち仰角度を変更させた場合には、サイド収集体５，６に形成されたガイド突起２７が第２保持片部２２ｂの円弧状のガイド長孔６に案内されつつ支持軸部２４を支点にしてサイド収集体５，６を上下方向（図３中、矢印Ｃ−Ｄ方向）に揺動させるため、正面収集体４およびサイド収集体５，６は、コートの床面に対する密着性を常に担保することができる。
【００３９】
こうしてコート面上で収集具１をスライド移動することによって、コート面上で散乱しているバドミントンシャトルＰを所定箇所に掻き集めることができ、コート面からバドミントンシャトルＰを除去して練習を再開することができる。また、掻き集められたバドミントンシャトルＰは所定のバケット等によって回収されることで、連続練習のために再度使用される。
【符号の説明】
【００４０】
Ｐ…バドミントンシャトル
１…収集具                              ２…柄
３…ハンドルグリップ                    ４…正面収集体
５，６…サイド収集体
１１…方向転換機構                      １２…基部
１３…突片部                            １４…センターステー
１５…二股連結ステー                    １５ａ，１５ｂ…上下突片部
１６…中央ボルト                        １７…蝶ナット
１８…取付ネジ
２１…上下揺動機構                      ２２…サイドステー
２２ａ…第１保持片部                    ２２ｂ…第２保持片部
２３…取付ネジ                          ２４…支持軸部
２５…支持孔部                          ２６…ガイド長孔
２７…ガイド突起
【図１】
0003181597.tif 000003
【図２】
0003181597.tif 000004
【図３】
0003181597.tif 000005